(57)【特許請求の範囲】
【請求項１】
無線通信端末のコンテキスト、および、５Ｇ通信システムコアネットワークのネットワーク機能のインスタンス（２０２、１１０４、１２０４、１３０１）と他のネットワーク機能のインスタンス（２０１、１１０５、１２０５、１３０２）との間の要求／応答交換（１１０６、１１０７、１２０６、１２０７）に関する１つ又は複数のトランザクション（１１０１、１２０１、１３０４）であり、前記他のネットワーク機能のインスタンス（２０１、１１０５、１２０５、１３０２）との前記１つ又は複数のトランザクション（１１０１、１２０１、１３０４）、を実行するように構成された、前記ネットワーク機能のインスタンス（２０２、１１０４、１２０４、１３０１）であって、
前記１つ又は複数のトランザクション（１１０１、１２０１、１３０４）のうちの１つが、定着性指示と非定着性指示のうち一方を含み、
前記定着性指示は、前記ネットワーク機能のインスタンス（２０２、１１０４、１２０４、１３０１）を前記ネットワーク機能のアドレスとして識別するとともに、前記無線通信端末のコンテキストに関する１つ又は複数の将来のトランザクションを実行するために前記ネットワーク機能のインスタンス（２０２、１１０４、１２０４、１３０１）に接触しなければならないことを、前記他のネットワーク機能のインスタンス（２０１、１１０５、１２０５、１３０２）に指示するものであり、
前記非定着性指示は、前記ネットワーク機能のインスタンス（１１０２、１２０２）のグループを前記ネットワーク機能のアドレスとして識別するとともに、１つ又は複数の将来のトランザクションを実行するために前記ネットワーク機能のインスタンス（１１０２、１２０２）のグループにおけるあらゆるインスタンスに接触しなければならないことを、前記他のネットワーク機能のインスタンス（２０１、１１０５、１２０５、１３０２）に指示するものである、
ネットワーク機能のインスタンス（２０２、１１０４、１２０４、１３０１）。
【請求項２】
前記１つ又は複数のトランザクション（１１０１、１２０１、１３０４）のうちの１つが、前記他のネットワーク機能の前記インスタンス（２０１、１１０５、１２０５、１３０２）に対する要求を含み、
前記要求は、
１つ又は複数の将来のトランザクションを実行するために前記ネットワーク機能のインスタンス（２０２、１１０４、１２０４、１３０１）に接触しなければならないかどうか、又は、１つ又は複数の将来のトランザクションを実行するために前記ネットワーク機能のインスタンス（１１０２、１２０２）のグループにおけるあらゆるインスタンスに接触しなければならないかどうかを、前記他のネットワーク機能の前記インスタンス（２０１、１１０５、１２０５、１３０２）に指示する、定着性指示と非定着性指示のうち一方、
を含む、
請求項１に記載のネットワーク機能のインスタンス（２０２、１１０４、１２０４、１３０１）。
【請求項３】
前記１つ又は複数のトランザクション（１１０１、１２０１、１３０４）のうちの１つ、或いは、前記１つ又は複数のトランザクション（１１０１、１２０１、１３０４）のうちの別の１つが、
前記ネットワーク機能のインスタンス（２０２、１１０４、１２０４、１３０１）の要求への応答を含み、
前記応答は、
１つ又は複数の将来のトランザクションを実行するために前記ネットワーク機能のインスタンス（２０２、１１０４、１２０４、１３０１）に接触しなければならないかどうか、又は、１つ又は複数の将来のトランザクションを実行するために前記ネットワーク機能のインスタンス（１１０２、１２０２）のグループにおけるあらゆるインスタンスに接触しなければならないかどうかを、前記他のネットワーク機能のインスタンス（２０１、１１０５、１２０５、１３０２）に指示する、定着性指示と非定着性指示のうち一方、
を含む、
請求項１又は２に記載のネットワーク機能のインスタンス（２０２、１１０４、１２０４、１３０１）。
【請求項４】
前記１つ又は複数のトランザクション（１１０１、１２０４、１３０４）のうちの１つが、
セッション管理コンテキスト作成要求メッセージ、セッション管理コンテキスト作成応答メッセージ、セッション管理コンテキスト更新要求メッセージ、又は、セッション管理コンテキスト更新応答メッセージ、である、
請求項１〜３のいずれか一項に記載のネットワーク機能のインスタンス（２０２、１１０４、１２０４、１３０１）。
【請求項５】
前記１つ又は複数のトランザクション（１１０１、１２０４、１３０４）のうちの１つが、
１つ又は複数の将来のトランザクションを実行するために、前記ネットワーク機能の前記インスタンス（２０２、１１０４、１２０４、１３０１）に接触しなければならないことを、前記他のネットワーク機能の前記インスタンス（２０１、１１０５、１２０５、１３０２）に示し、
１つ又は複数の将来のトランザクションを実行するために、前記ネットワーク機能の前記インスタンス（２０２、１１０４、１２０４、１３０１）に接触しなければならないことが、どのぐらいの間、有効であるかを示す有効期間、を含む、
請求項１〜４のいずれか一項に記載のネットワーク機能のインスタンス（２０２、１１０４、１２０４、１３０１）。
【請求項６】
前記他のネットワーク機能の前記インスタンス（２０１、１１０５、１２０５、１３０２）のサービス論理（１１０９、１２０９、１２１１）との前記１つ又は複数のトランザクション（１１０１、１３０４）を実行するように構成されたサービス論理（１１０８、１２０８、１２１０）、
を備える、請求項１〜５のいずれか一項に記載のネットワーク機能のインスタンス（２０２、１１０４、１２０４、１３０１）。
【請求項７】
前記１つ又は複数のトランザクション（１１０１、１２０４、１３０４）のうちの１つが、
１つ又は複数の将来のトランザクションを実行するために、前記ネットワーク機能の前記インスタンス（２０２、１１０４、１２０４、１３０１）の前記サービス論理（１１０８、１２０８、１２１０）に接触しなければならないかどうか、又は、前記１つ又は複数の将来のトランザクションを実行するために、前記ネットワーク機能のインスタンス（１１０２、１２０２）のグループ内の対応するサービス論理に接触しなければならないかどうかを、前記他のネットワーク機能の前記インスタンス（２０１、１１０５、１２０５、１３０２）の前記サービス論理（１１０９、１２０９、１２１１）に示す定着性指示、
を含む、請求項６に記載のネットワーク機能のインスタンス（２０２、１１０４、１２０４、１３０１）。
【請求項８】
前記１つ又は複数のトランザクション（１１０１、１２０１、１３０４）及び前記１つ又は複数将来のトランザクションが、
１つ又は複数の通信セッションを制御することに関する、
請求項６又は７に記載のネットワーク機能のインスタンス（２０２、１１０４、１２０４、１３０１）。
【請求項９】
前記１つ又は複数のトランザクション（１１０１、１２０１、１３０４）のうちの１つが、
前記１つ又は複数の将来のトランザクションを実行するために、前記ネットワーク機能の前記インスタンス（２０２、１１０４、１２０４、１３０１）の１つ又は複数の他のサービス論理（１２０８、１２１０）を使用しなければならないことを、前記他のネットワーク機能の前記インスタンス（２０１、１１０５、１２０５、１３０２）の前記サービス論理（１１０９、１２０９、１２１１）に指示する、
請求項６〜８のいずれか一項に記載のネットワーク機能のインスタンス（２０２、１１０４、１２０４、１３０１）。
【請求項１０】
移動無線通信システムにおいて実施される方法であり、無線通信端末のコンテキスト、および、ネットワーク機能のインスタンス（２０２、１１０４、１２０４、１３０１）と他のネットワーク機能のインスタンス（２０１、１１０５、１２０５、１３０２）との間の要求／応答交換（１１０６、１１０７、１２０６、１２０７）に関する通信トランザクションを実行するための方法であって、
５Ｇ通信システムのコアネットワークの第１のネットワーク機能のインスタンス（２０２、１１０４、１２０４、１３０１）と、通信端末に関する前記コアネットワークの第２のネットワーク機能のインスタンス（２０１、１１０５、１２０５、１３０２）との間で、１つ又は複数のトランザクション（１１０１、１２０１、１３０４）を実行するステップと、
前記１つ又は複数のトランザクション（１１０１、１２０１、１３０４）のうちの１つとして、定着性指示と非定着性指示のうち一方を提供するステップであって、
前記定着性指示は、前記第１のネットワーク機能のインスタンス（２０２、１１０４、１２０４、１３０１）を当該ネットワーク機能のアドレスとして識別するとともに、前記無線通信端末のコンテキストに関する１つ又は複数の将来のトランザクションを実行するために前記第１のネットワーク機能のインスタンス（２０２、１１０４、１２０４、１３０１）に接触しなければならないことを、前記第２のネットワーク機能のインスタンス（２０１、１１０５、１２０５、１３０２）に指示するものであり、
前記非定着性指示は、前記第１のネットワーク機能のインスタンス（１１０２、１２０２）のグループを当該ネットワーク機能のアドレスとして識別するとともに、１つ又は複数の将来のトランザクションを実行するために前記第１のネットワーク機能のインスタンス（１１０２、１２０２）のグループにおけるあらゆるインスタンスに接触しなければならないことを、前記第２のネットワーク機能のインスタンス（２０１、１１０５、１２０５、１３０２）に指示するものである、当該提供するステップと、
を含む、方法。
【発明の詳細な説明】
【技術分野】
【０００１】
本開示は、通信トランザクションを実行するためのネットワーク機能インスタンス及び方法に関する。
【背景技術】
【０００２】
５Ｇ通信システムでは、Ａｃｃｅｓｓ  ａｎｄ  Ｍｏｂｉｌｉｔｙ  Ｍａｎａｇｅｍｅｎｔ  Ｆｕｎｃｔｉｏｎ（ＡＭＦ）及びＳｅｓｓｉｏｎ  Ｍａｎａｇｅｍｅｎｔ  Ｆｕｎｃｔｉｏｎ（ＳＭＦ）などのネットワーク機能を用いて、通信セッションが提供される。信頼性の高い５Ｇコアネットワークを提供するためには、通信セッションを提供するネットワーク機能が、たとえば保守又は障害に起因して利用不能になった場合に対処することを可能にする手法が望ましい。
【発明の概要】
【０００３】
一実施形態によれば、通信システムコアネットワークの他のネットワーク機能のインスタンスとの１つ又は複数のトランザクションを実行するように構成された、通信システムコアネットワークのネットワーク機能のインスタンスが提供され、１つ又は複数のトランザクションのうちの１つは、１つ又は複数の将来のトランザクションを実行するためにネットワーク機能のインスタンスに接触すべきであるかどうか、或いは、１つ又は複数の将来のトランザクションを実行するためにネットワーク機能の別のインスタンスに接触し得るかどうかを、他のネットワーク機能のインスタンスに示すことを含む。
【０００４】
さらなる実施形態によれば、通信システムのコアネットワークの第１のネットワーク機能のインスタンスと、コアネットワークの第２のネットワーク機能のインスタンスとの間で、１つ又は複数のトランザクションを実行すること、及び、１つ又は複数のトランザクションのうちの１つにおいて、１つ又は複数の将来のトランザクションを実行するためにネットワーク機能のインスタンスに接触すべきであるかどうか、或いは、１つ又は複数の将来のトランザクションを実行するためにネットワーク機能の別のインスタンスに接触し得るかどうかを、他のネットワーク機能のインスタンスに示すことを含む、通信トランザクションを実行するための方法が提供される。
【０００５】
図面において、同様の参照文字は、概して異なる図面全体を通じて同じ部分を指す。図面は必ずしも一定の縮尺ではなく、概して、本発明の原理を示すことに重点を置いている。下記の説明では、以下の図面を参照しながら様々な態様を説明する。
【図面の簡単な説明】
【０００６】
【図１】無線通信システムを示す図である。
【図２】コンテキスト要求を作成するようにＳＭＦインスタンスに要求する、ＡＭＦインスタンスを示す図である。
【図３】任意選択で、ＡＭＦ／ＳＭＦと通信セッションとの関連付けを定着的にすることが可能なコンテキスト要求を作成するようにＳＭＦインスタンスに要求する、ＡＭＦインスタンスを示す図である。
【図４】一実施形態に従った、ＡＭＦ発見を示す図である。
【図５】一実施形態に従った、ＳＭＦ発見を示す図である。
【図６】初期のＰＤＵセッションのセットアップのための手順を示す、メッセージフロー図である。
【図７】ハンドオーバの場合の、ＰＤＵセッションのセットアップのための手順を示す、メッセージフロー図である。
【図８】モビリティ登録手順を示す、メッセージフロー図である。
【図９Ａ】定着状態の変化を伴うサービス要求を示すメッセージフロー図である。
【図９Ｂ】定着状態の変化を伴うサービス要求を示すメッセージフロー図である。
【図１０】ネットワーク機能インスタンス、サービス論理、及びサービス状態の間の関係を示す図である。
【図１１】ネットワーク機能間のトランザクションを示す図である。
【図１２】１つのネットワーク機能インスタンスにおいて複数のサービス論理を伴うネットワーク機能間のトランザクションを示す図である。
【図１３】通信システムコアネットワークのネットワーク機能のインスタンスを示す図である。
【図１４】通信トランザクションを実行するための方法を示すフロー図である。
【発明を実施するための形態】
【０００７】
下記の詳細な説明は、例として、本発明を実施し得る本開示の具体的な詳細及び態様を示す添付の図面を指す。他の態様が利用可能であり、構造的、論理的、及び電気的変更は、本発明の範囲を逸脱することなく実行可能である。本開示のいくつかの態様を本開示の１つ又は複数の他の態様と組み合わせて新しい態様を形成することができるので、本開示の様々な態様は、必ずしも相互に排他的ではない。
【０００８】
図１は、無線通信システム１００を示す。
【０００９】
無線通信システム１００は、ＵＥ（ユーザ機器）、ナノ機器（ＮＥ）などの、無線通信端末デバイス１０２を含む。
【００１０】
さらに、無線通信システム１００は、複数の無線アクセスネットワークノード、すなわち、５Ｇ（第５世代）無線アクセス技術（５Ｇ  Ｎｅｗ  Ｒａｄｉｏ／新無線）に従った無線アクセスを提供するように構成された基地局を含み得る、無線アクセスネットワーク１０３を含む。無線通信システム１００は、ＬＴＥ（ロングタームエボリューション）又は別の移動無線通信標準に従って構成することも可能であり、本明細書では５Ｇは例として使用されることに留意されたい。各無線アクセスネットワークノードは、エアインターフェース１０４を介して無線通信端末デバイス１０２に無線通信を提供し得る。無線アクセスネットワーク１０３は、任意数の無線アクセスネットワークノードを含み得ることに留意されたい。
【００１１】
無線通信システム１００は、ＲＡＮ１０３に接続されるＵＰＦ（ユーザプレーン機能）１０５と、ＲＡＮ１０３、Ｓｅｓｓｉｏｎ  Ｍａｎａｇｅｍｅｎｔ  Ｆｕｎｃｔｉｏｎ（ＳＭＦ）１０７、Ｕｎｉｆｉｅｄ  Ｄａｔａ  Ｍａｎａｇｅｍｅｎｔ（ＵＤＭ）１０８、及びＮｅｔｗｏｒｋ  Ｒｅｐｏｓｉｔｏｒｙ  Ｆｕｎｃｔｉｏｎ（ＮＲＦ）１０９に接続される、Ａｃｃｅｓｓ  ａｎｄ  Ｍｏｂｉｌｉｔｙ  Ｍａｎａｇｅｍｅｎｔ  Ｆｕｎｃｔｉｏｎ（ＡＭＦ）１０６とを含む、コアネットワーク１１０をさらに含み得る。
【００１２】
ＡＭＦ１０６及びＳＭＦ１０７などの様々なネットワーク機能（ＮＦ）について、コアネットワーク１１０内に複数のインスタンスが存在し得ることに留意されたい。
【００１３】
Ｐａｃｋｅｔ  Ｄａｔａ  Ｕｎｉｔ（ＰＤＵ）セッションのためのセットアップ手順において、ＡＭＦ１０６は、Ｓｅｓｓｉｏｎ  Ｍａｎａｇｅｍｅｎｔ（ＳＭ）Ｃｏｎｔｅｘｔを作成するようにＳＭＦ１０７に要求する。Ｃｒｅａｔ  ＳＭ  Ｃｏｎｔｅｘｔは、ＳＭＦ１０７によって公開されるサービスであり、ＡＭＦ１０６によって呼び出される。
【００１４】
図２は、２０３において、ＳＭ  Ｃｒｅａｔｅ  Ｃｏｎｔｅｘｔ  Ｒｅｑｕｅｓｔメッセージを用いてコンテキスト要求を作成するようにＳＭＦインスタンス２０２に要求する、ＡＭＦインスタンス２０１を示す。ＳＭＦインスタンス２０２は、２０４において応答する。
【００１５】
２０３の要求メッセージにおいて、ＡＭＦインスタンス２０１は以下を示す。
・３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）に従って必須であるＧＵＡＭＩ（Ｇｌｏｂａｌｌｙ  Ｕｎｉｑｕｅ  ＡＭＦ  Ｉｄｅｎｔｉｆｉｅｒ）
・セッション状況サブスクリプション（３ＧＰＰに従って必須）に使用されるべきＵＲＩ（Ｕｎｉｆｏｒｍ  Ｒｅｓｏｕｒｃｅ  Ｉｎｄｉｃａｔｏｒ）としてのｃａｌｌｂａｃｋＲｅｆ。ＡＭＦインスタンスのＩＰアドレスを含む。
・ＮＦ  Ｓｅｒｖｉｃｅ  Ａｄｖｅｒｔｉｓｅｍｅｎｔ  ＵＲＩ＝Ｉｎｓｔａｎｃｅ  ＩＤ（３ＧＰＰに従って任意選択）。
【００１６】
２０４の応答メッセージにおいて、ＳＭＦインスタンスは、以下を示す。
・ＡＭＦからＳＭＦへの後続のサービス要求のための、ＳＭＦにおけるＳＭ  Ｃｏｎｔｅｘｔへのアドレス（Ｌｏｃａｔｉｏｎ  ＵＲＩ）（３ＧＰＰに従って必須）。ＳＭＦインスタンスのＩＰアドレスを含む。
【００１７】
２０１、２０２におけるこのアドレスの交換により、ＡＭＦインスタンス２０１とＳＭＦインスタンス２０２とを関連付け、ＰＤＵを「定着的」（言い換えれば、固定的）にする。これは、ＳＭ  Ｃｏｎｔｅｘｔに関する後続のメッセージ（又はトランザクション）が、同じＡＭＦインスタンス２０１と同じＳＭＦインスタンス２０２との間で交換されることを意味する。
【００１８】
しかしながら、クラウドネイティブ（ｃｌｏｕｄ−ｎａｔｉｖｅ）であり信頼性の高い５ＧＣ（５Ｇコアネットワーク）を実装するための重要な問題は、５ＧＣネットワーク機能間の定着性を除去する際に見ることができる。このようにして、たとえば、ネットワーク機能インスタンスのバックアップを可能にすることによって、信頼性を提供することが可能であり、定着性が存在しない場合、すなわち、ネットワーク機能インスタンスが必ずしも通信セッションを制御（又は制御を続行）しなくてもよい場合、通信セッションは、ネットワーク機能インスタンスが失敗するか、又は、たとえば保守のためにサービス停止である場合、バックアップネットワーク機能インスタンスによって制御可能である。
【００１９】
様々な実施形態によれば、２つのネットワーク機能、たとえばＡＭＦ及びＳＭＦと、通信セッションとの間の関連付けは、５ＧＣにおいて任意選択で定着的になる。たとえば、ＰＤＵセッションのためのＳｅｓｓｉｏｎ  Ｍａｎａｇｅｍｅｎｔコンテキストの作成時に、ＡＭＦインスタンス及びＳＭＦインスタンスは下記を交換することができる。
・セッションを取り扱う特定のＡＭＦ及びＳＭＦインスタンスの識別子、又は、
・ＡＭＦ及びＳＭＦが属するＡＭＦグループ及びＳＭＦグループの識別子。
【００２０】
第２のケースにおいて、ＡＭＦ／ＳＭＦと通信セッションとの関連付けは「非定着的」である。
【００２１】
それらは、「定着性の（明示的な）指示」を交換することができる。
【００２２】
図３は、任意選択で、ＡＭＦ／ＳＭＦと通信セッションとの関連付けを定着的にすることが可能なコンテキスト要求を作成するようにＳＭＦインスタンス３０２に要求する、ＡＭＦインスタンス３０１を示す。これは、ＡＭＦインスタンス３０１及び／又はＳＭＦインスタンス３０２と通信セッションとの関連付けが、ネットワーク機能インスタンス３０１、３０２のうちの１つによって明示的に示されている場合にのみ、定着的であることを意味する。
【００２３】
図２と同様に、ＡＭＦインスタンス３０１は、３０３においてＳＭ  Ｃｒｅａｔｅ  Ｃｏｎｔｅｘｔ  Ｒｅｑｕｅｓｔメッセージを用いてＳＭコンテキストの作成を要求し、ＳＭＦインスタンス３０２は３０４において応答する。
【００２４】
３０３のＳＭ  Ｃｒｅａｔｅ  Ｃｏｎｔｅｘｔ  Ｒｅｑｕｅｓｔメッセージにおいて、ＡＭＦインスタンス３０１は、以下を示す。
・ＧＵＡＭＩ（任意選択）。ＧＵＡＭＩは、各ＡＭＦが異なるＡＭＦアドレスによって識別されるＡＭＦインスタンスのセットか、又は複数のＡＭＦアドレスを伴うＡＭＦの、いずれかを固有に識別する。
・ＡＭＦインスタンスＩＤ（任意選択）
・定着性指示：ＡＭＦインスタンスが、通信セッションのコンテキストにおいて、次のサービス要求のために定着的なままでいることを望むかどうかを示す。
【００２５】
３０４の応答メッセージにおいて、ＳＭＦインスタンス３０２は、以下を示す。
・ＡＭＦからＳＭＦへの後続のサービス要求のため、すなわち、ＡＭＦインスタンス３０１とＳＭＦインスタンス３０２との間の後続のトランザクションのための、ＳＭＦインスタンスＩＤ（任意選択、ＳＭＦインスタンスが次のサービス要求のために定着的なままでいることを望む場合のみ）。
・ＳＭＦグループＩＤ、このＰＤＵセッションに対処できるＳＭＦインスタンスＩＤのセットを識別する。
・定着性指示：ＳＭＦインスタンス３０２が、通信セッションのコンテキストにおいて、次のサービス要求のために定着的なままでいることを望むかどうかを示す。
【００２６】
様々な実施形態によれば、ＮＲＦ１０９は、ＧＵＡＭＩ（ＡＭＦのみ）、ＮＦサービスインスタンスＩＤ、及びＮＦサービスインスタンスＩＰアドレスの間の関連付けを維持する。下記において、インスタンスＩＤ及びＮＦアドレスに対するＧＵＡＭＩを解決する手法を考察する。
【００２７】
図４は、一実施形態に従ったＡＭＦ発見を示す。
【００２８】
４０４において、ＡＭＦインスタンス４０１はそれ自体を、ＧＵＡＭＩ及びＡＭＦアドレスを示すＮＲＦ４０３に登録する。
【００２９】
ＳＭＦインスタンス４０２がＡＭＦに要求を送信する必要があるとき、ＳＭＦインスタンス４０２はＮＲＦ４０３を使用して、発見要求４０５を実行するときにＡＭＦインスタンスを発見する。
・ＳＭＦインスタンス４０２が、ＡＭＦとの以前のトランザクションにおいて、ＡＭＦインスタンスからＧＵＡＭＩのみを受信した場合、ＳＭＦインスタンス４０２はＧＵＡＭＩを使用して、後続のトランザクションに使用されるべきＡＭＦインスタンスＩＤ及びＡＭＦインスタンスのＩＰアドレスを解決する。
・ＳＭＦインスタンス４０２が、ＡＭＦとの以前のトランザクションにおいて、ＡＭＦインスタンス４０１からＧＵＡＭＩ及びＡＭＦインスタンスＩＤを受信した場合、ＳＭＦインスタンス４０２はＡＭＦインスタンスＩＤを使用して、ＡＭＦインスタンス４０１のＩＰアドレスを解決する。
【００３０】
図５は、一実施形態に従ったＳＭＦ発見を示す。
【００３１】
５０４において、ＳＭＦインスタンス５０２はそれ自体を、サービスエリア及びＳＭＦインスタンスＩＤ、ＳＭＦグループＩＤ、及びＩＰアドレスを示すＮＲＦ５０３に登録する。
【００３２】
ＡＭＦインスタンス５０１がＳＭＦインスタンスに要求を送信する必要があるとき、ＡＭＦインスタンス５０１はＮＲＦ５０３を使用して、発見要求５０３を実行するときにＳＭＦインスタンスを発見する。
・ＡＭＦインスタンス５０１が、ＡＭＦとの以前のトランザクションにおいて、ＳＭＦインスタンスからＳＭＦインスタンスＩＤを受信しなかった場合、ＡＭＦインスタンス５０１は、通信セッションが提供されるＵＥのロケーション及びＳＭＦグループＩＤを使用して、後続のトランザクションにおいて使用されるべきＳＭＦインスタンスＩＤ及びＳＭＦのＩＰアドレスを解決する。
・ＡＭＦインスタンス５０１が、ＳＭＦインスタンス５０２からＳＭＦインスタンスＩＤを受信した場合、ＡＭＦインスタンス５０１は、ＵＥのロケーション、ＳＭＦグループＩＤ、及びＳＭＦインスタンスＩＤを使用して、ＳＭＦインスタンス５０２のＳＭＦ  ＩＰアドレスを解決する。
【００３３】
ＳＭＦグループＩＤは、特定のＰＤＵセッションに対処できるＳＭＦインスタンスのセットを識別する。ＳＭＦインスタンス５０２は、サービスエリア、ＩＰアドレス、及びグループＩＤをＮＲＦ５０３に登録する。ＡＭＦインスタンス５０１が初期のＰＤＵセッション要求でＳＭＦインスタンス５０２を発見したとき、ＡＭＦインスタンス５０１はＳＭＦグループＩＤを有していない。この場合、ＡＭＦインスタンス５０１は、ＵＥロケーションに基づいてＳＭＦインスタンス５０２及びＩＰアドレスを発見する。ＳＭＦインスタンス５０２は、ＳＭＦインスタンスＩＤ又はグループＩＤのいずれかで応答し得る。ＡＭＦインスタンス５０１はこの識別情報をＰＤＵセッションＩＤと共に記憶し、これを次の要求に使用する。
【００３４】
図６は、初期のＰＤＵセッションセットアップ（セッション確立）のための手順を示すメッセージフロー図６００を示す。
【００３５】
メッセージフローは、ＵＥ６０１、ＡＭＦインスタンス６０２、ＮＲＦ６０３、ＳＭＦインスタンス６０４、及びＵＤＭ６０５の間で行われる。
【００３６】
６０６において、ＵＥ６０１はＰＤＵセッションセットアップ要求をＡＭＦインスタンス６０２に送信する。
【００３７】
６０７において、ＡＭＦインスタンス６０２は、ＳＭＦインスタンス６０４のアドレスを提供するＮＲＦ６０３を用いて、ＳＭＦインスタンス選択を実行する。
【００３８】
６０８において、ＡＭＦインスタンス６０２は、ＳＭコンテキスト作成要求をＳＭＦインスタンス６０４に送信する。このメッセージにおいて、ＡＭＦインスタンス６０２は、ＰＤＵセッションとの関連付けを定着的にしたい場合、ＡＭＦインスタンスＩＤをＳＭＦ６０４に示すことができる。
【００３９】
６０９において、ＳＭＦインスタンス６０４は、ＰＤＵセッションのためにＵＤＭ６０５に登録する。ＳＭＦインスタンス６０４は、ＰＤＵセッションとの関連付けを定着的にしたい場合、ＳＭＦインスタンスＩＤを提供し、ＰＤＵセッションとの関連付けを定着的にしたくない場合、ＳＭＦグループＩＤを提供することができる。
【００４０】
６１０において、ＵＤＭは、（ＳＭＦインスタンス６０４が、ＰＤＵセッションとの関連付けを定着的にしたい場合）ＰＤＵセッションＩＤとＳＭＦインスタンス６０４から受信したＳＭＦインスタンスＩＤとの関連付けを記憶する。定着的にしたくない場合は、ＳＭＦグループＩＤを記憶する。
【００４１】
６１１において、ＳＭＦインスタンス６０４は、ＳＭコンテキスト作成応答メッセージをＡＭＦインスタンス６０２に送信する。これは、ＳＭＦインスタンスＩＤ（定着性の場合）又はＳＭＦグループＩＤ（非定着性の場合）のいずれかである、ＳＭＦアドレスを含む。
【００４２】
６１２において、ＡＭＦインスタンス６０２は、ＰＤＵセッションＩＤとＳＭＦインスタンス６０４から受信したＳＭＦアドレスとの間の関連付けを記憶する。
【００４３】
図７は、たとえば、ＥＰＣ（Ｅｖｏｌｖｅｄ  Ｐａｃｋｅｔ  Ｃｏｒｅ）からのモビリティ手順に続くか、又は非３ＧＰＰアクセスに続く、ハンドオーバの場合の、ＰＤＵセッションセットアップのための手順を示す、メッセージフロー図７００を示す。
【００４４】
メッセージフローは、ＵＥ７０１、ＡＭＦインスタンス７０２、ＮＲＦ７０３、ＳＭＦインスタンス７０４、及びＵＤＭ７０５の間で行われる。
【００４５】
７０６において、ＡＭＦインスタンス７０２は、ＳＭＦインスタンスＩＤ又はＳＭＦグループＩＤのいずれかであるＳＭＦアドレスを、ＵＤＭ７０５から取り出す。
【００４６】
７０７において、ＵＥ７０１は、ＰＤＵセッションセットアップ要求をＡＭＦインスタンス７０２に送信する。
【００４７】
７０８において、ＡＭＦインスタンス７０２は、ＮＲＦ７０３に照会することによってＳＭＦアドレスを解決する。このため、ＡＭＦインスタンス７０２は、ＳＭＦインスタンス７０４のＩＰアドレスを提供するＮＲＦ７０３を用いて、（ＳＭＦインスタンスＩＤ又はＳＭＦグループＩＤを示す）ＳＭＦインスタンス選択を実行する。
【００４８】
７０９において、ＡＭＦインスタンス７０２は、ＳＭコンテキスト作成要求をＳＭＦインスタンス７０４に送信する。このメッセージにおいて、ＡＭＦインスタンス７０２は、ＰＤＵセッションとの関連付けを定着的にしたい場合、ＡＭＦインスタンスＩＤをＳＭＦ７０４に示すことができる。
【００４９】
ＳＭＦインスタンス７０４は、７１０において、ＰＤＵセッションのためにＵＤＭ７０５を登録することができる。ＳＭＦインスタンス７０４は、ＰＤＵセッションとの関連付けを定着的にしたい場合、ＳＭＦインスタンスＩＤを提供するか、又は、ＰＤＵセッションとの関連付けを定着的にしたくない場合、ＳＭＦグループＩＤを提供することができる。
【００５０】
ＳＭＦインスタンス７０４は定着性の状態を変更したい場合、ＵＤＭ７０５における登録を更新し、ＳＭＦインスタンスＩＤをグループＩＤに変更するか、又はその逆を行う。
【００５１】
７１１において、ＵＤＭ７０５は、ＰＤＵセッションＩＤとＳＭＦから受信したアドレスとの間の関連付けを記憶する。
【００５２】
７１２において、ＳＭＦインスタンス７０４は、ＳＭコンテキスト作成応答メッセージをＡＭＦインスタンス７０２に送信する。これは、ＳＭＦインスタンスＩＤ（定着性の場合）又はＳＭＦグループＩＤ（非定着性の場合）のいずれかである、ＳＭＦアドレスを含む。
【００５３】
７１３において、ＡＭＦインスタンス７０２は、ＰＤＵセッションＩＤとＳＭＦインスタンス７０４から受信したＳＭＦアドレスとの間の関連付けを記憶する。
【００５４】
図８は、モビリティ登録手順を示すメッセージフロー図８００を示す。
【００５５】
メッセージフローは、ＵＥ８０１、新規ＡＭＦインスタンス８０２、ＮＲＦ８０３、旧ＡＭＦインスタンス８０４、ＵＤＭ８０５、旧ＳＭＦインスタンス８０６、及び新規ＳＭＦインスタンス８０７の間で行われる。
【００５６】
８０８において、ＵＥ８０１はモビリティ登録を新規ＡＭＦインスタンス８０２に送信する。
【００５７】
８０９において、新規ＡＭＦインスタンス８０２は、ＮＲＦ８０３を用いて旧ＧＵＡＭＩからのＡＭＦアドレスを解決する。
【００５８】
８１０において、ＵＥ８０１は、ＵＥコンテキスト要求を旧ＡＭＦインスタンス８０４に送信し、旧ＡＭＦインスタンス８０４はＵＥコンテキスト応答で応答する。
【００５９】
８１１において、新規ＡＭＦインスタンス８０２はＡＭＦ登録をＵＤＭ８０５に送信する。
【００６０】
８１２において、ＵＤＭはＡＭＦ登録通知を旧ＳＭＦインスタンス８０６に送信する。
【００６１】
８１３において、旧ＳＭＦインスタンス８０６は、ＵＥロケーションに基づいて新規ＳＭＦ選択を実行する。ＮＲＦ８０３は新規ＳＭＦアドレスを提供する。
【００６２】
８１４において、旧ＳＭＦインスタンス８０６は、新規ＳＭＦインスタンス８０７を用いてＳＭＦリロケーションを実行する。
【００６３】
８１５において、新規ＳＭＦインスタンス８０７は、ＳＭＦアドレス（定着性を望むかどうかに依存して、インスタンスＩＤ又はグループＩＤのいずれか）を提供するＰＤＵセッションのためにＵＤＭ８０５に登録する。
【００６４】
８１６において、ＵＤＭ８０５は、ＳＭＦアドレスとＰＤＵセッションとの関連付けを記憶する。
【００６５】
８１７において、ＵＤＭ８０５は、ＰＤＵセッションＩＤ及びＳＭＦアドレスを含む新規ＳＭＦ登録データを送信する。
【００６６】
図９Ａおよび図９Ｂは、定着性状態の変化を伴うサービス要求を示すメッセージフロー図を示す。
【００６７】
メッセージフロー図は、定着状態の変化が補足された、３ＧＰＰに従ったサービス要求手順を示すシグナリング図である。この手順は、手順に関与するすべてのトランザクションを取り扱うために、ＮＦがその定常状態を変更する例として行われる。
【００６８】
メッセージフローは、ＵＥ９０１、ＲＡＮ９０２、ＡＭＦインスタンス９０３、新規ＵＰＦ９０４、ＳＭＦインスタンス９０５、旧ＵＰＦ９０６、ＰＳＡ（ＰＤＵ  Ｓｅｓｓｈｏｎ  Ａｎｃｈｏｒ）ＵＰＦ９０７、ＰＣＦ（Ｐｏｌｉｃｙ  Ｃｏｎｔｒｏｌ  Ｆｕｎｃｔｉｏｎ）９０８、及びＡＵＳＦ（Ａｕｔｈｅｎｔｉｃａｔｉｏｎ  Ｓｅｒｖｅｒ  Ｆｕｎｃｔｉｏｎ）９０９の間で行われる。
【００６９】
９１１において、ＵＥはサービス要求をＲＡＮ９０２に送信し、これを９１２においてＲＡＮ９０２がＡＭＦインスタンス９０３に転送する。
【００７０】
９１３において、ＡＭＦインスタンス９０３は、ＡＵＳＦ９０９を用いて、ＵＥ９０１のための認証／セキュリティ手順を実行する。
【００７１】
９１４において、ＡＭＦインスタンス９０３は、ＰＤＵセッション更新ＳＭコンテキスト要求をＳＭＦインスタンス９０５に送信する（ＳＭＦインスタンスがどのように発見及び選択されるかは、この例の目的には関係しない）。
【００７２】
９１５において、ＳＭＦインスタンス９０５はＵＰＦ選択を実行する。
【００７３】
９１６において、ＳＭＦインスタンス９０５はセッション確立要求を新規ＵＰＦ９０４に送信し、新規ＵＰＦ９０４はセッション確立応答を用いて応答する。
【００７４】
９１７において、ＳＭＦ９０５はセッション修正要求をＰＳＡ  ＵＰＦ９０７に送信し、ＰＳＡ  ＵＰＦ９０７はセッション修正応答を用いて応答する。
【００７５】
次いで、ＰＳＡ  ＵＰＦ９０７は、新規ＵＰＦ９０４にダウンリンクデータを提供する。
【００７６】
９１８において、ＳＭＦインスタンス９０５は、セッション修正要求を旧ＵＰＦ９０６に送信し、旧ＵＰＦ９０６はセッション修正応答を用いて応答する。
【００７７】
９１９において、ＵＰＦが（旧ＵＰＦ９０６から新規ＵＰＦ９０４に）リロケートされる場合、バッファ済みダウンリンクデータは旧ＵＰＦ９０６から新規ＵＰＦ９０４に転送される。
【００７８】
９２０において、旧ＵＰＦ９０６が除去される場合、バッファ済みダウンリンクデータは旧ＵＰＦ９０６からＰＳＡ  ＵＰＦ９０７に転送される。
【００７９】
９２１において、ＳＭＦインスタンス９０５は、そのインスタンスＩＤ及び定着性指示を含む応答メッセージをＡＭＦインスタンス９０３に送信する。
【００８０】
９１４及び９２１は、第１のトランザクションを形成する。
【００８１】
９２２において、ＡＭＦインスタンス９０３はＮ２要求をＲＡＮ９０２に送信する。
【００８２】
９２３において、ＲＡＮ９０２は、ＵＥ９０１と共にＲＲＣ（Ｒａｄｉｏ  Ｒｅｓｏｕｒｃｅ  Ｃｏｎｔｒｏｌ）再構成を実行する。
【００８３】
次いで、アップリンクデータは、ＵＥ９０１からＲＡＮ９０２を介してＰＳＡ  ＵＰＦ９０７に伝送される。
【００８４】
９２４において、ＲＡＮ９０２は、Ｎ２要求肯定応答をＡＭＦ９０３に送信する。
【００８５】
９２５において、９２１で受信した定着性指示に起因して、ＡＭＦインスタンス９０３は、ＰＤＵセッション更新ＳＭコンテキスト要求を、第１のトランザクションに関連するものと同じＳＭＦインスタンス９０５に送信する。
【００８６】
９２６において、ＳＭＦ９０５とＰＣＦ９０８との間でセッション管理ポリシー修正が実行される。
【００８７】
中間ＵＰＦの場合、９２７において、ＳＭＦインスタンスはセッション修正要求を新規ＵＰＦ９０４に送信し、新規ＵＰＦ９０４はセッション修正応答を用いて応答する。次いで、ダウンリンクデータは、新規ＵＰＦ９０４からＲＡＮ９０２を介してＵＥ９０１に伝送される。
【００８８】
非中間ＵＰＦの場合、９２８において、ＳＭＦインスタンスはセッション修正要求をＰＳＡ  ＵＰＦ９０７に送信し、ＰＳＡ  ＵＰＦ９０７はセッション修正応答を用いて応答する。次いで、ダウンリンクデータは、ＰＳＡ  ＵＰＦ９０７からＲＡＮ９０２を介してＵＥ９０１に伝送される。
【００８９】
９２９において、ＳＭＦインスタンスは、非定着性指示を含むＰＤＵセッション更新ＳＭコンテキスト応答メッセージを送信する。
【００９０】
この指示に起因して、ＡＭＦインスタンス９０３は、ＳＭＦとの任意のさらなるトランザクションについて（たとえば、図５を参照しながら説明したように）ＳＭＦ発見を実行する。
【００９１】
９２５及び９２９は第２のトランザクションを形成する。
【００９２】
９３０において、新規ＵＰＦ９０４はセッション修正要求をＳＭＦインスタンス９０５に送信し、ＳＭＦインスタンス９０５はセッション修正応答を用いて応答する。
【００９３】
９３１において、ＳＭＦ９０５はセッション修正要求をＰＳＡ  ＵＰＦ９０７に送信し、ＰＳＡ  ＵＰＦ９０７はセッション修正応答を用いて応答する。
【００９４】
９３２において、ＳＭＦ９０５は、セッション修正要求又はセッション解除要求を旧ＵＰＦ９０６に送信し、旧ＵＰＦ９０６は、セッション修正応答又はセッション解除応答を用いて応答する。
【００９５】
図１０は、ＮＦインスタンス、サービス論理、及びサービス状態の間の関係を示す図１０００を示す。
【００９６】
各ＮＦインスタンス１００１、１００２、１００３は、１つ又は複数のサービス論理１００４、１００５、１００６を実装する。
【００９７】
ＮＦグループ１００７のＮＦインスタンス１００１、１００２、１００３は、同じサービス論理１００４、１００５、１００６を実装し得る。
【００９８】
サービス論理１００６は、サービス論理１００６におけるサービス状態を作成、更新、及び削除するために、他のＮＦのＮＦインスタンスのサービス論理によって使用可能な、１つ又は複数のＡＰＩ（アプリケーションプログラミングインターフェース）１００８を公開する。
【００９９】
ＮＦグループ１００７におけるすべてのＮＦインスタンス１００１、１００２、１００３は、それらのサービス論理のサービス状態をグループリポジトリ内に記憶することができる。ＮＦグループ１００７におけるすべてのＮＦインスタンス１００１、１００２、１００３は、それらのサービス論理のサービス状態をグループリポジトリから取り出すことができる。
【０１００】
たとえば、第１のＮＦインスタンス１００１「ＮＦ１．インスタンス１」がそのサービス論理３  １００６によって作成したサービス状態を記憶する場合、第２のＮＦインスタンス１００２「ＮＦ１．インスタンス２」はそのサービス論理３からこれを取り出して更新するか、又は削除することができる。
【０１０１】
サービス論理は、たとえば３ＧＰＰによって定義されたように、特定のネットワーク動作を実行する。サービス論理１００４、１００５、１００６は、たとえば通信セッションの制御を実行することができる。
【０１０２】
図１１は、ネットワーク機能間のトランザクションを示す図１１００を示す。
【０１０３】
トランザクション１１０１は、５Ｇコアネットワーク内の２つのＮＦ１１０２、１１０３、ＮＦサービスプロバイダ１１０３及びＮＦサービス消費者１１０２の間で実行され、各ＮＦ１１０２、１１０３は１つ又は複数のＮＦインスタンス１１０４、１１０５からなる。
【０１０４】
トランザクション１１０１は、ＮＦサービス消費者の第１のインスタンス１１０４のサービス論理（又はサービスエンティティ）１１０８から、ＮＦサービスプロバイダの第１のインスタンス１１０５のサービス論理１１０９への、要求１１０６、及び、ＮＦサービスプロバイダの第１のインスタンス１１０５のサービス論理１１０９から、ＮＦサービス消費者１１０４の第１のインスタンスのサービス論理１１０８への、応答１１０７からなる。
【０１０５】
トランザクション要求１１０６は、ＮＦサービス消費者インスタンスのグループ（又はセット）の識別子、及び任意選択で、第１のＮＦサービス消費者インスタンス１１０４の識別子、及び任意選択で、サービス論理１１０８の識別子を含む。
【０１０６】
トランザクション応答１１０７は、ＮＦサービスプロバイダインスタンスのセットの識別子、及び任意選択で、第２のＮＦサービスプロバイダインスタンス１１０５の識別子、及び任意選択で、サービス論理１１０９の識別子を含む。
【０１０７】
図１２は、１つのネットワーク機能インスタンスにおいて複数のサービス論理を伴うネットワーク機能間のトランザクションを示す図１２００を示す。
【０１０８】
図１１と同様に、トランザクション１２０１は、２つのＮＦ１２０２、１２０３、ＮＦサービスプロバイダ１２０３及びＮＦサービス消費者１２０２の間で実行され、各ＮＦ１２０２、１２０３は１つ又は複数のＮＦインスタンス１２０４、１２０５からなる。
【０１０９】
トランザクション１２０１は、ＮＦサービス消費者の第１のインスタンス１２０４の第１のサービス論理１２０８から、ＮＦサービスプロバイダの第１のインスタンス１２０５の第１のサービス論理１２０９への、要求１２０６、及び、ＮＦサービスプロバイダの第１のインスタンス１２０５の第１のサービス論理１２０９から、ＮＦサービス消費者１２０４の第１のインスタンスの第１のサービス論理１２０８への、応答１２０７からなる。
【０１１０】
ＮＦサービス消費者１２０２の第１のインスタンス１２０４は、第２のサービス論理１２１０をさらに含み、ＮＦサービスプロバイダ１２０３の第１のインスタンス１２０５は、第２のサービス論理１２１１をさらに含む。
【０１１１】
トランザクション要求１２０６は、ＮＦサービス消費者インスタンスのセットの識別子、及び任意選択で、第１のＮＦサービス消費者インスタンス１２０４の識別子、及び任意選択で、第１のサービス論理１２０８又は第２のサービス論理１２１０の識別子を含む。
【０１１２】
トランザクション応答１２０７は、ＮＦサービスプロバイダインスタンスのセットの識別子、及び任意選択で、第２のＮＦサービスプロバイダインスタンス１２０５の識別子、及び任意選択で、第１のサービス論理１２０９及び第２のサービス論理１２１１の識別子を含む。
【０１１３】
要約すると、様々な実施形態によれば、図１３に示されたネットワーク機能インスタンスが提供される。
【０１１４】
図１３は、通信システムコアネットワーク１３０３の（第１の）ネットワーク機能のインスタンス１３０１を示す。
【０１１５】
ネットワーク機能１３０１のインスタンスは、たとえば通信セッションを制御するための、通信システムコアネットワーク１３０３の他のネットワーク機能のインスタンスとの、１つ又は複数のトランザクション１３０４を実行するように構成される。
【０１１６】
１つ又は複数のトランザクション１３０４、１３０５のうちの１つは、（たとえば通信セッションを制御するための）１つ又は複数の将来のトランザクションを実行するためにネットワーク機能１３０１のインスタンスに接触すべきであるかどうか、或いは、１つ又は複数の将来のトランザクションを実行するためにネットワーク機能の別のインスタンスに接触し得るかどうかを、他のネットワーク機能１３０２のインスタンスに対して示すことを含む。
【０１１７】
言い換えると、様々な実施形態によれば、ネットワーク機能インスタンスにおけるサービス論理、たとえば、ＡＭＦインスタンスの通信サービス論理又はＳＭＦインスタンスにおけるセッションサービス論理（又は両方）は、（たとえば、サービス要求において、又はサービス要求への応答において）さらなるトランザクションについて依然として定着的であることを望むかどうかを示す。これは、さらなる（すなわち将来の）トランザクションを実行するために接触すべきであること、又は言い換えると、さらなるトランザクションに対処すること、たとえば他のネットワークインスタンスから、たとえばさらなるトランザクションを受信することを意味することができる。
【０１１８】
したがって、たとえば、ＡＭＦの通信サービス論理とＳＭＦのセッションサービス論理との間で、ＡＭＦ及びＳＭＦのサービス論理が、それらの関連付けが定着的であるか否かを制御できるようにする対話が実行される。このことは特に、サービス論理間での非定着的な対話を可能にする。トランザクションの間、ＡＭＦインスタンスのサービス論理は、ＡＭＦインスタンスの他のサービス論理との定着的な関連をＳＭＦのサービス論理に示すことができる。ＡＭＦの当該サービス論理とのトランザクションを開始するとき、ＳＭＦのサービス論理はＡＭＦインスタンスの当該サービス論理を参照する。
【０１１９】
定着性指示を必要とし得る対話の別の例は、ポリシーを取り出すためのＳＭＦ及びＰＣＦにおけるサービス論理間の対話である。
【０１２０】
特に、図１３の手法は、クラウドネイティブな５ＧＣについての要件を実現するために、ＡＭＦインスタンスとＳＭＦインスタンスとの間の非定着的な対話を可能にする。
【０１２１】
１つ又は複数の将来のトランザクションを実行するために、ネットワーク機能１３０１のインスタンスに接触すべきであるかどうか、或いは、１つ又は複数の将来のトランザクションを実行するために、ネットワーク機能の別のインスタンスに接触し得るかどうかを、他のネットワーク機能のインスタンスに示すことを含む、１つ又は複数のトランザクションのうちの１つは、たとえば、第１のネットワーク機能によって生じる第１のトランザクションであり得る。他のネットワーク機能インスタンスは、同じか又は別のトランザクションにおいて、１つ又は複数の将来のトランザクションを実行するために、他のネットワーク機能のインスタンスに接触すべきであるかどうか、或いは、１つ又は複数の将来のトランザクションを実行するために、他のネットワーク機能の別のインスタンスに接触し得るかどうかを、ネットワーク機能のインスタンスに示し得る。言い換えると、どちらのネットワーク機能インスタンスも、同じか又は異なるトランザクションにおいて定着的であることを望むかどうかを示し得る。
【０１２２】
各トランザクション（１つ又は複数の将来のトランザクションを含む）は、たとえば、要求、肯定応答、応答、照会などの、ネットワーク機能インスタンス１３０１、１３０２の間での１つ又は複数のメッセージ交換を含み得る。トランザクションを実行することは、他のネットワーク機能のインスタンスによって生じるトランザクションに対処することを含み得る。
【０１２３】
ネットワーク機能インスタンスは、たとえば、１つ又は複数のプロセッサによって実装され得る。「プロセッサ」は、特定用途向け回路要素、或いは、メモリ、ファームウェア、又はそれらの任意の組み合わせに記憶されるソフトウェアを実行するプロセッサであり得る、任意の種類の論理実装エンティティとして理解され得る。したがって、「プロセッサ」は、ハードワイヤード論理プロセッサ、又は、プログラマブルプロセッサなどのプログラマブル論理プロセッサ、たとえばマイクロプロセッサであり得る。「プロセッサ」は、ソフトウェア、たとえば任意の種類のコンピュータプログラムを実行する、プロセッサでもあり得る。下記でより詳細に説明するそれぞれの機能の任意の他の種類の実装も、「プロセッサ」として理解され得る。
【０１２４】
図１４は、通信トランザクションを実行するための方法を示すフロー図１４００を示す。
【０１２５】
１４０１において、通信システムのコアネットワークの第１のネットワーク機能のインスタンスと、コアネットワークの第２のネットワーク機能のインスタンスとの間で、１つ又は複数のトランザクションが実行される。
【０１２６】
１４０２において、１つ又は複数のトランザクションのうちの１つにおいて、１つ又は複数の将来のトランザクションを実行するために、ネットワーク機能のインスタンスに接触すべきであるかどうか、或いは、１つ又は複数の将来のトランザクションを実行するために、ネットワーク機能の別のインスタンスに接触し得るかどうかが、他のネットワーク機能のインスタンスに示される。
【０１２７】
様々な関連する通信システム構成要素（特に、ネットワーク機能インスタンス）は、たとえば、１つ又は複数の回路によって実装可能である。「回路」は、特定用途向け回路要素、或いは、メモリ、ファームウェア、又はそれらの任意の組み合わせに記憶されるソフトウェアを実行するプロセッサであり得る、任意の種類の論理実装エンティティとして理解され得る。したがって、「回路」は、ハードワイヤード論理回路、又は、プログラマブルプロセッサなどのプログラマブル論理回路、たとえばマイクロプロセッサであり得る。「回路」は、ソフトウェア、たとえば任意の種類のコンピュータプログラムを実行する、プロセッサでもあり得る。下記でより詳細に説明するそれぞれの機能の任意の他の種類の実装も、「回路」として理解され得る。
【０１２８】
以下に、様々な例を説明する。
【０１２９】
実施例１は、図１３に示されたネットワーク機能のインスタンスである。
【０１３０】
実施例２は、請求項１に記載のネットワーク機能のインスタンスであって、１つ又は複数のトランザクションのうちの１つが、１つ又は複数の将来のトランザクションを実行するために、ネットワーク機能のインスタンスに接触すべきであるかどうか、或いは、１つ又は複数の将来のトランザクションを実行するために、ネットワーク機能の別のインスタンスに接触し得るかどうかを、他のネットワーク機能のインスタンスに示す、他のネットワーク機能インスタンスのインスタンスへの要求を含む、ネットワーク機能のインスタンス。
【０１３１】
実施例３は、請求項１又は２に記載のネットワーク機能のインスタンスであって、１つ又は複数のトランザクションのうちの１つ、或いは１つ又は複数のトランザクションのうちの別の１つが、１つ又は複数の将来のトランザクションを実行するために、他のネットワーク機能のインスタンスに接触すべきであるかどうか、或いは、１つ又は複数の将来のトランザクションを実行するために、他のネットワーク機能の別のインスタンスに接触し得るかどうかを、ネットワーク機能のインスタンスに示すことを含む、ネットワーク機能のインスタンス。
【０１３２】
実施例４は、請求項３に記載のネットワーク機能のインスタンスであって、１つ又は複数のトランザクションのうちの１つ、或いは１つ又は複数のトランザクションのうちの他の１つが、１つ又は複数の将来のトランザクションを実行するために、他のネットワーク機能のインスタンスに接触すべきであるかどうか、或いは、１つ又は複数の将来のトランザクションを実行するために、他のネットワーク機能の別のインスタンスに接触し得るかどうかを、ネットワーク機能のインスタンスに示す、ネットワーク機能のインスタンスの要求への応答を含む、ネットワーク機能のインスタンス。
【０１３３】
実施例５は、請求項１〜４のいずれか一項に記載のネットワーク機能のインスタンスであって、１つ又は複数のトランザクションのうちの１つが、セッション管理コンテキスト作成要求メッセージ、セッション管理コンテキスト作成応答メッセージ、セッション管理コンテキスト更新要求メッセージ、又は、セッション管理コンテキスト更新応答メッセージである、ネットワーク機能のインスタンス。
【０１３４】
実施例６は、請求項１〜５のいずれか一項に記載のネットワーク機能のインスタンスであって、１つ又は複数のトランザクションのうちの１つが、１つ又は複数の将来のトランザクションを実行するために、ネットワーク機能のインスタンスに接触すべきであることを、ネットワーク機能のインスタンスの識別情報をネットワーク機能のアドレスとして指定することによって、他のネットワーク機能のインスタンスに示す、ネットワーク機能のインスタンス。
【０１３５】
実施例７は、請求項１〜５のいずれか一項に記載のネットワーク機能のインスタンスであって、１つ又は複数のトランザクションのうちの１つが、１つ又は複数の将来のトランザクションを実行するために、ネットワーク機能のインスタンスに接触すべきであることを、他のネットワーク機能のインスタンスに示し、また、１つ又は複数の将来のトランザクションを実行するためにネットワーク機能のインスタンスに接触すべきであることがどのぐらいの間有効であるかを示す有効期間を含む、ネットワーク機能のインスタンス。
【０１３６】
実施例８は、請求項１〜５のいずれか一項に記載のネットワーク機能のインスタンスであって、１つ又は複数のトランザクションのうちの１つが、１つ又は複数の将来のトランザクションを実行するために、ネットワーク機能の別のインスタンスに接触し得ることを、ネットワーク機能のインスタンスのグループの識別情報をネットワーク機能のアドレスとして指定することによって、他のネットワーク機能のインスタンスに示す、ネットワーク機能のインスタンス。
【０１３７】
実施例９は、請求項１〜８のいずれか一項に記載のネットワーク機能のインスタンスであって、１つ又は複数のトランザクションのうちの１つが、１つ又は複数の将来のトランザクションを実行するために、ネットワーク機能のインスタンスに接触すべきであるかどうか、或いは、１つ又は複数の将来のトランザクションを実行するために、ネットワーク機能の別のインスタンスに接触し得るかどうかを、明示的な定着性指示を用いて、他のネットワーク機能のインスタンスに示す、ネットワーク機能のインスタンス。
【０１３８】
実施例１０は、請求項１〜９のいずれか一項に記載のネットワーク機能のインスタンスであって、１つ又は複数のトランザクションのうちの１つが、１つ又は複数の将来のトランザクションを実行するために、ネットワーク機能のインスタンスに接触すべきであることを、他のネットワーク機能のインスタンスに示すことを含み、１つ又は複数の将来のトランザクションのうちの１つが、１つ又は複数のさらなる将来のトランザクションを実行するために、ネットワーク機能の別のインスタンスに接触し得ることを、他のネットワーク機能のインスタンスに示すことを含む、ネットワーク機能のインスタンス。
【０１３９】
実施例１１は、請求項１〜１０のいずれか一項に記載のネットワーク機能のインスタンスであって、通信システムコアネットワークが５Ｇ通信システムのコアネットワークである、ネットワーク機能のインスタンス。
【０１４０】
実施例１２は、請求項１〜１１のいずれか一項に記載のネットワーク機能のインスタンスであって、ネットワーク機能がＡｃｃｅｓｓ  ａｎｄ  Ｍｏｂｉｌｉｔｙ  Ｍａｎａｇｅｍｅｎｔ  Ｆｕｎｃｔｉｏｎであり、他のネットワーク機能がＳｅｓｓｉｏｎ  Ｍａｎａｇｅｍｅｎｔ  Ｆｕｎｃｔｉｏｎであるか、又は、ネットワーク機能がＳｅｓｓｉｏｎ  Ｍａｎａｇｅｍｅｎｔ  Ｆｕｎｃｔｉｏｎであり、他のネットワーク機能がＡｃｃｅｓｓ  ａｎｄ  Ｍｏｂｉｌｉｔｙ  Ｍａｎａｇｅｍｅｎｔ  Ｆｕｎｃｔｉｏｎである、ネットワーク機能のインスタンス。
【０１４１】
実施例１３は、請求項１〜１２のいずれか一項に記載のネットワーク機能のインスタンスであって、他のネットワーク機能のインスタンスのサービス論理との１つ又は複数のトランザクションを実行するように構成されたサービス論理を備える、ネットワーク機能のインスタンス。
【０１４２】
実施例１４は、請求項１３に記載のネットワーク機能のインスタンスであって、１つ又は複数のトランザクションのうちの１つが、１つ又は複数の将来のトランザクションを実行するために、ネットワーク機能のインスタンスのサービス論理に接触すべきであるかどうか、或いは、１つ又は複数の将来のトランザクションを実行するために、ネットワーク機能の別のインスタンス内の対応するサービス論理に接触し得るかどうかを、他のネットワーク機能のインスタンスのサービス論理に示すことを含む、ネットワーク機能のインスタンス。
【０１４３】
実施例１５は、請求項１３又は１４に記載のネットワーク機能のインスタンスであって、１つ又は複数のトランザクション及び１つ又は複数の将来のトランザクションが、１つ又は複数の通信セッションを制御することに関する、ネットワーク機能のインスタンス。
【０１４４】
実施例１６は、請求項１３〜１５のいずれか一項に記載のネットワーク機能のインスタンスであって、１つ又は複数のトランザクションのうちの１つが、１つ又は複数の将来のトランザクションを実行するために、ネットワーク機能のインスタンスの１つ又は複数の他のサービス論理を使用すべきであることを、他のネットワーク機能のインスタンスのサービス論理に示す、ネットワーク機能のインスタンス。
【０１４５】
実施例１７は、図１４に示された通信トランザクションを実行するための方法である。
【０１４６】
実施例１８は、請求項１７に記載の方法であって、１つ又は複数のトランザクションのうちの１つが、１つ又は複数の将来のトランザクションを実行するために、第１のネットワーク機能のインスタンスに接触すべきであるかどうか、或いは、１つ又は複数の将来のトランザクションを実行するために、第１のネットワーク機能の別のインスタンスに接触し得るかどうかを、第１のネットワーク機能のインスタンスに示す、第２のネットワーク機能のインスタンスへの要求を含む、方法。
【０１４７】
実施例１９は、請求項１７又は１８に記載の方法であって、１つ又は複数のトランザクションのうちの１つ或いは１つ又は複数のトランザクションのうちの別の１つが、１つ又は複数の将来のトランザクションを実行するために、第２のネットワーク機能のインスタンスに接触すべきであるかどうか、或いは、１つ又は複数の将来のトランザクションを実行するために、第２のネットワーク機能の別のインスタンスに接触し得るかどうかを、第１のネットワーク機能のインスタンスに示すことを含む、方法。
【０１４８】
実施例２０は、請求項１９に記載の方法であって、１つ又は複数のトランザクションのうちの１つ或いは１つ又は複数のトランザクションのうちの他の１つが、１つ又は複数の将来のトランザクションを実行するために、第２のネットワーク機能のインスタンスに接触すべきであるかどうか、或いは、１つ又は複数の将来のトランザクションを実行するために、第２のネットワーク機能の別のインスタンスに接触し得るかどうかを、第１のネットワーク機能のインスタンスに示す、第１のネットワーク機能のインスタンスの要求への応答を含む、方法。
【０１４９】
実施例２１は、請求項１７〜２０のいずれか一項に記載の方法であって、１つ又は複数のトランザクションのうちの１つが、セッション管理コンテキスト作成要求メッセージ、セッション管理コンテキスト作成応答メッセージ、セッション管理コンテキスト更新要求メッセージ、又は、セッション管理コンテキスト更新応答メッセージである、方法。
【０１５０】
実施例２２は、請求項１７〜２０のいずれか一項に記載の方法であって、１つ又は複数のトランザクションのうちの１つが、１つ又は複数の将来のトランザクションを実行するために、第１のネットワーク機能のインスタンスに接触すべきであることを、第１のネットワーク機能のインスタンスの識別情報を第１のネットワーク機能のアドレスとして指定することによって、第２のネットワーク機能のインスタンスに示す、方法。
【０１５１】
実施例２３は、請求項１７〜２１のいずれか一項に記載の方法であって、１つ又は複数のトランザクションのうちの１つが、１つ又は複数の将来のトランザクションを実行するために、第１のネットワーク機能のインスタンスに接触すべきであることを、第２のネットワーク機能のインスタンスに示し、また、１つ又は複数の将来のトランザクションを実行するために第１のネットワーク機能のインスタンスに接触すべきであることがどのぐらいの間有効であるかを示す有効期間を含む、方法。
【０１５２】
実施例２４は、請求項１７〜２１のいずれか一項に記載の方法であって、１つ又は複数のトランザクションのうちの１つが、１つ又は複数の将来のトランザクションを実行するために、第１のネットワーク機能の別のインスタンスに接触し得ることを、第１のネットワーク機能のインスタンスのグループの識別情報を第１のネットワーク機能のアドレスとして指定することによって、第２のネットワーク機能のインスタンスに示す、方法。
【０１５３】
実施例２５は、請求項１７〜２４のいずれか一項に記載の方法であって、１つ又は複数のトランザクションのうちの１つが、１つ又は複数の将来のトランザクションを実行するために、第１のネットワーク機能のインスタンスに接触すべきであるかどうか、或いは、１つ又は複数の将来のトランザクションを実行するために、第１のネットワーク機能の別のインスタンスに接触し得るかどうかを、明示的な定着性指示を用いて、第２のネットワーク機能のインスタンスに示す、方法。
【０１５４】
実施例２６は、請求項１７〜２６のいずれか一項に記載の方法であって、１つ又は複数のトランザクションのうちの１つが、１つ又は複数の将来のトランザクションを実行するために、第１のネットワーク機能のインスタンスに接触すべきであることを、第２のネットワーク機能のインスタンスに示すことを含み、１つ又は複数の将来のトランザクションのうちの１つが、１つ又は複数のさらなる将来のトランザクションを実行するために、第１のネットワーク機能の別のインスタンスに接触し得ることを、第２のネットワーク機能のインスタンスに示すことを含む、方法。
【０１５５】
実施例２７は、請求項１７〜２６のいずれか一項に記載の方法であって、通信システムコアネットワークが５Ｇ通信システムのコアネットワークである、方法。
【０１５６】
実施例２８は、請求項１７〜２７のいずれか一項に記載の方法であって、第１のネットワーク機能がＡｃｃｅｓｓ  ａｎｄ  Ｍｏｂｉｌｉｔｙ  Ｍａｎａｇｅｍｅｎｔ  Ｆｕｎｃｔｉｏｎであり、第２のネットワーク機能がＳｅｓｓｉｏｎ  Ｍａｎａｇｅｍｅｎｔ  Ｆｕｎｃｔｉｏｎであるか、又は、ネットワーク機能がＳｅｓｓｉｏｎ  Ｍａｎａｇｅｍｅｎｔ  Ｆｕｎｃｔｉｏｎであり、第２のネットワーク機能がＡｃｃｅｓｓ  ａｎｄ  Ｍｏｂｉｌｉｔｙ  Ｍａｎａｇｅｍｅｎｔ  Ｆｕｎｃｔｉｏｎである、方法。
【０１５７】
実施例２９は、請求項１７〜２８のいずれか一項に記載の方法であって、第１のネットワーク機能のインスタンスが、第２のネットワーク機能のインスタンスのサービス論理との１つ又は複数のトランザクションを実行するように構成されたサービス論理を備える、方法。
【０１５８】
実施例３０は、請求項２９に記載の方法であって、１つ又は複数のトランザクションのうちの１つが、１つ又は複数の将来のトランザクションを実行するために、第１のネットワーク機能のインスタンスのサービス論理に接触すべきであるかどうか、或いは、１つ又は複数の将来のトランザクションを実行するために、第１のネットワーク機能の別のインスタンス内の対応するサービス論理に接触し得るかどうかを、第２のネットワーク機能のインスタンスのサービス論理に示すことを含む、方法。
【０１５９】
実施例３１は、請求項２９又は３０に記載の方法であって、１つ又は複数のトランザクション及び１つ又は複数の将来のトランザクションが、１つ又は複数の通信セッションを制御することに関する、方法。
【０１６０】
実施例３２は、請求項２９〜３１のいずれか一項に記載の方法であって、１つ又は複数のトランザクションのうちの１つが、１つ又は複数の将来のトランザクションを実行するために、第１のネットワーク機能のインスタンスの１つ又は複数の他のサービス論理を使用すべきであることを、第２のネットワーク機能のインスタンスのサービス論理に示す、方法。
【０１６１】
特定の態様について説明してきたが、当業者であれば、添付の特許請求の範囲によって定義されるような本開示の態様の趣旨及び範囲を逸脱することなく、形及び詳細における様々な変更が実行できることを理解されたい。したがって、添付の特許請求の範囲によって示されている範囲、及び、特許請求の範囲の等価の意味及び範囲内にあるすべての変更が包含されるべきであることが意図される。
態様１は、
通信端末に関する５Ｇ通信システムコアネットワークの他のネットワーク機能のインスタンス（２０１、１３０２）との１つ又は複数のトランザクションを実行するように構成された、前記通信システムコアネットワークのネットワーク機能のインスタンス（２０２、１３０１）であって、
前記１つ又は複数のトランザクション（１３０４、１３０５）のうちの１つが、
前記通信端末に関する１つ又は複数の将来のトランザクションを実行するために、前記ネットワーク機能のインスタンス（２０２、１３０１）に接触しなければならないことが選択されるかどうか、或いは、
前記１つ又は複数の将来のトランザクションを実行するために、前記ネットワーク機能のインスタンスのグループを定義する複数のインスタンスに接触することを許されることが選択されるかどうかを、
前記他のネットワーク機能の前記インスタンス（２０１、１３０２）に示す定着性指示、
を含む、ネットワーク機能のインスタンス（２０２、１３０１）である。
態様２は、態様１において、
前記１つ又は複数のトランザクション（１３０４、１３０５）のうちの１つが、
１つ又は複数の将来のトランザクションを実行するために、前記ネットワーク機能の前記インスタンス（２０２、１３０１）に接触しなければならないことが選択されるかどうか、或いは、
前記１つ又は複数の将来のトランザクションを実行するために、前記ネットワーク機能のインスタンスのグループを定義する複数のインスタンスに接触することを許されることが選択されるかどうかを、
前記他のネットワーク機能の前記インスタンス（２０１、１３０２）に示す、前記他のネットワーク機能インスタンスの前記インスタンスに対する要求、
を含む。
態様３は、態様１又は２において、
前記１つ又は複数のトランザクション（１３０４、１３０５）のうちの１つ、或いは、前記１つ又は複数のトランザクション（１３０４、１３０５）のうちの別の１つが、
前記１つ又は複数の将来のトランザクションを実行するために、前記他のネットワーク機能の前記インスタンス（２０１、１３０２）に接触しなければならないことが選択されるかどうか、或いは、
前記１つ又は複数の将来のトランザクションを実行するために、前記他のネットワーク機能のインスタンスのグループを定義する複数のインスタンスに接触することを許されることが選択されるかどうかを、
前記ネットワーク機能の前記インスタンス（２０２、１３０１）に示す定着性指示、
を含む。
態様４は、態様３において、
前記１つ又は複数のトランザクション（１３０４、１３０５）のうちの前記１つ、或いは、前記１つ又は複数のトランザクション（１３０４、１３０５）のうちの前記別の１つが、
前記１つ又は複数の将来のトランザクションを実行するために、前記他のネットワーク機能の前記インスタンス（２０１、１３０２）に接触しなければならないことが選択されるかどうか、或いは、
前記１つ又は複数の将来のトランザクションを実行するために、前記他のネットワーク機能のインスタンスのグループを定義する複数のインスタンスに接触することを許されることが選択されるかどうかを、
前記ネットワーク機能の前記インスタンス（２０２、１３０１）に示す、前記ネットワーク機能の前記インスタンス（２０２、１３０１）の要求への応答、
を含む。
態様５は、態様１〜４のいずれか１つにおいて、
前記１つ又は複数のトランザクション（１３０４、１３０５）のうちの前記１つが、
セッション管理コンテキスト作成要求メッセージ、セッション管理コンテキスト作成応答メッセージ、セッション管理コンテキスト更新要求メッセージ、又は、セッション管理コンテキスト更新応答メッセージ、である。
態様６は、態様１〜５のいずれか１つにおいて、
前記１つ又は複数のトランザクション（１３０４、１３０５）のうちの前記１つが、
前記ネットワーク機能の前記インスタンス（２０２、１３０１）の識別情報を前記ネットワーク機能のアドレスとして指定することによって、１つ又は複数の将来のトランザクションを実行するために、前記ネットワーク機能の前記インスタンス（２０２、１３０１）に接触しなければならないことを、前記他のネットワーク機能の前記インスタンス（２０１、１３０２）に示す。
態様７は、態様１〜５のいずれか１つにおいて、
前記１つ又は複数のトランザクション（１３０４、１３０５）のうちの前記１つが、
１つ又は複数の将来のトランザクションを実行するために、前記ネットワーク機能の前記インスタンス（２０２、１３０１）に接触しなければならないことを、前記他のネットワーク機能の前記インスタンス（２０１、１３０２）に示し、
１つ又は複数の将来のトランザクションを実行するために、前記ネットワーク機能の前記インスタンス（２０２、１３０１）に接触しなければならないことが、どのぐらいの間、有効であるかを示す有効期間、を含む。
態様８は、態様１〜５のいずれか１つにおいて、
前記１つ又は複数のトランザクション（１３０４、１３０５）のうちの前記１つが、
前記ネットワーク機能のインスタンスのグループの識別情報を前記ネットワーク機能のアドレスとして指定することによって、前記１つ又は複数の将来のトランザクションを実行するために、前記ネットワーク機能のインスタンスのグループを定義する複数のインスタンスに接触することを許されることを、前記他のネットワーク機能の前記インスタンス（２０１、１３０２）に示す。
態様９は、態様１〜８のいずれか１つにおいて、
前記１つ又は複数のトランザクション（１３０４、１３０５）のうちの前記１つが、
１つ又は複数の将来のトランザクションを実行するために前記ネットワーク機能の前記インスタンス（２０２、１３０１）に接触しなければならないことが選択されるかどうか、或いは、
前記１つ又は複数の将来のトランザクションを実行するために、前記ネットワーク機能のインスタンスのグループを定義する複数のインスタンスに接触することを許されることが選択されるかどうかを、
明示的な定着性指示を用いて、前記他のネットワーク機能の前記インスタンス（２０１、１３０２）に示す。
態様１０は、態様１〜９のいずれか１つにおいて、
前記１つ又は複数のトランザクション（１３０４、１３０５）のうちの１つが、
１つ又は複数の将来のトランザクションを実行するために、前記ネットワーク機能の前記インスタンス（２０１、１３０２）に接触しなければならないことを、前記他のネットワーク機能の前記インスタンス（２０１、１３０２）に示す定着性指示、
を含み、
前記１つ又は複数の将来のトランザクションのうちの１つが、
１つ又は複数のさらなる将来のトランザクションを実行するために、前記ネットワーク機能のインスタンスのグループを定義する複数のインスタンスに接触することを許されることを、前記他のネットワーク機能の前記インスタンス（２０１、１３０２）に示す定着性指示、
を含む。
態様１１は、態様１〜１０のいずれか１つにおいて、
前記他のネットワーク機能の前記インスタンス（２０１、１３０２）のサービス論理との前記１つ又は複数のトランザクション（１３０４、１３０５）を実行するように構成されたサービス論理、
を備える。
態様１２は、態様１１において、
前記１つ又は複数のトランザクション（１３０４、１３０５）のうちの前記１つが、
１つ又は複数の将来のトランザクションを実行するために、前記ネットワーク機能の前記インスタンス（２０２、１３０１）の前記サービス論理に接触しなければならないことが選択されるかどうか、或いは、
前記１つ又は複数の将来のトランザクションを実行するために、前記ネットワーク機能のインスタンスのグループを定義する複数のインスタンス内の対応するサービス論理に接触することを許されることが選択されるかどうかを、
前記他のネットワーク機能の前記インスタンス（２０１、１３０２）の前記サービス論理に示す定着性指示、
を含む。
態様１３は、態様１１又は１２において、
前記１つ又は複数のトランザクション（１３０４、１３０５）及び前記１つ又は複数将来のトランザクション（１３０４、１３０５）が、
１つ又は複数の通信セッションを制御することに関する。
態様１４は、態様１１〜１３のいずれか１つにおいて、
前記１つ又は複数のトランザクション（１３０４、１３０５）のうちの前記１つが、
前記１つ又は複数の将来のトランザクションを実行するために、前記ネットワーク機能の前記インスタンス（２０２、１３０１）の１つ又は複数の他のサービス論理を使用しなければならないことを、前記他のネットワーク機能の前記インスタンス（２０１、１３０２）の前記サービス論理に示す。
態様１５は、
移動無線通信システムにおいて実施される、通信トランザクションを実行するための方法であって、
５Ｇ通信システムのコアネットワークの第１のネットワーク機能のインスタンス（２０２、１３０１）と、通信端末に関する前記コアネットワークの第２のネットワーク機能のインスタンスとの間で、１つ又は複数のトランザクション（１３０４、１３０５）を実行するステップと、
前記通信端末に関する１つ又は複数の将来のトランザクションを実行するために、前記ネットワーク機能の前記インスタンス（２０２、１３０１）に接触しなければならないことが選択されるかどうか、或いは、前記１つ又は複数の将来のトランザクションを実行するために、前記ネットワーク機能のインスタンスのグループを定義する複数のインスタンスに接触することを許されることが選択されるかどうかを、前記１つ又は複数のトランザクション（１３０４、１３０５）のうちの１つにおける定着性指示によって、前記第２のネットワーク機能の前記インスタンスに示すステップと、
を含む、方法である。
【図１】
0006802922.tif 000002
【図２】
0006802922.tif 000003
【図３】
0006802922.tif 000004
【図４】
0006802922.tif 000005
【図５】
0006802922.tif 000006
【図６】
0006802922.tif 000007
【図７】
0006802922.tif 000008
【図８】
0006802922.tif 000009
【図９】
0006802922.tif 000010
【図９Ａ】
0006802922.tif 000011
【図９Ｂ】
0006802922.tif 000012
【図１０】
0006802922.tif 000013
【図１１】
0006802922.tif 000014
【図１２】
0006802922.tif 000015
【図１３】
0006802922.tif 000016
【図１４】
0006802922.tif 000017